(57)【要約】      （修正有）【課題】密閉度を上げデザイン性を向上し、騒音も生じにくく、出し入れが容易で、また雨水の侵入も防止できる郵便受けを提供する。【解決手段】収納本体１を金属製とし、双方の開口部を閉塞する閉塞板体３を合成樹脂製とし、この一方の閉塞板体３を手を離すと閉じ付勢により自動戻り回動する自動閉塞保持機構Ａを備えた閉塞板体３に構成し、他方の閉塞板体３には開口部の縁部が係合する雨水侵入防止用係合溝を設ける。【選択図】図１
0003169456.tif 000002
【実用新案登録請求の範囲】
【請求項１】
郵便物を収納する収納本体の前後の開口部を閉塞板体で閉塞し、少なくとも一方の閉塞板体を開閉自在に設けた郵便受けにおいて、前記収納本体を金属製とし、前記双方の閉塞板体を合成樹脂製とし、前記一方の開口部を閉塞する合成樹脂製の前記一方の閉塞板体の端部を、前記収納本体の開口部縁部に枢着して、開閉回動させることでこの開口部が開閉自在となるように構成し、この閉塞板体の枢着部に閉方向に付勢する閉じ付勢バネを設けて、この閉塞板体により開口部を閉塞保持すると共に、手でこの閉方向の付勢に抗して閉塞板体を開放回動させて開口部を開口しこの手を離すとこの付勢により閉塞板体が自動戻り回動して再び開口部を閉塞保持する自動閉塞保持機構を備えた閉塞板体に構成し、前記他方の開口部を閉塞する合成樹脂製の前記他方の閉塞板体は、この他方の開口部に被嵌する形状で且つこの開口部の縁部が係合して雨水の侵入を防止する雨水侵入防止用係合溝を縁部に沿って内側に周設した形状としたことを特徴とする郵便受け。
【請求項２】
郵便物を収納する収納本体の前後の開口部を閉塞板体で閉塞し、少なくとも一方の閉塞板体を開閉自在に設けた郵便受けにおいて、前記収納本体を金属製とし、前記双方の閉塞板体を合成樹脂製とし、前記一方の開口部を閉塞する合成樹脂製の前記一方の閉塞板体の端部を、前記収納本体の開口部縁部に枢着して、開閉回動させることでこの開口部が開閉自在となるように構成し、この閉塞板体の枢着部に閉方向に付勢する閉じ付勢バネを設けて、この閉塞板体により開口部を閉塞保持すると共に、手でこの閉方向の付勢に抗して閉塞板体を開放回動させて開口部を開口しこの手を離すとこの付勢により閉塞板体が自動戻り回動して再び開口部を閉塞保持する自動閉塞保持機構を備えた閉塞板体に構成し、前記他方の開口部を閉塞する合成樹脂製の前記他方の閉塞板体も、前記一方の閉塞板体と同じく端部を枢着しこの枢着部に前記閉じ付勢バネを設けて前記自動閉塞保持機構を備えた閉塞板体に構成したことを特徴とする郵便受け。
【考案の詳細な説明】
【技術分野】
【０００１】
本考案は、玄関先の例えば塀上や支柱上部に設ける郵便受けに関するものである。
【背景技術】
【０００２】
この種の郵便受けは、玄関先の所定高さに設置する筒状の収納本体の一方の端部の開口部に閉塞板体を開閉自在に設け、この閉塞板体の係止を外して開放回動し開口させた開口部から郵便物を出し入れしたり、また投入口から投入し取り出すときだけこの閉塞板体を開放回動し開口部を開口するようにする場合もある。
【考案の概要】
【考案が解決しようとする課題】
【０００３】
このような郵便受けは、例えば支柱の上部に設けるなどして玄関先の屋外に設置して使用するために、耐久性に優れた金属製とするものが多い。また、大型となるため合成樹脂製とすると高価となるために金属製とする場合が多く、また更に安価とするためアルミ製や鉄製とするものが多い。そのためデザイン性に劣る場合も多く、また密閉度を上げることも難しく、雨水が浸入する懸念もある。
【０００４】
また、金属製のため、閉塞板体の開閉動や閉塞時に騒音が生じることも多く、また従来閉じ付勢バネにより開放回動した閉塞板体から手を離すと自動戻り回動して閉塞保持される構成はなく、また、これを収納本体の前後の双方の開口部に設けたものもない。
【０００５】
本考案は、このような現状を鑑み考案されたもので、収納本体を安価にして耐久性に優れる金属製としながらも、前後の開口部を閉塞する閉塞板体は合成樹脂製とすることで密閉度を上げデザイン性も容易に向上でき、また騒音も生じにくく、更に少なくともこの一方の閉塞板体に閉じ付勢バネを設けた自動閉塞保持機構を備えた閉塞板体とすることで、出し入れが容易となり、また他方の開口部を閉塞する閉塞板体には雨水侵入防止用係合溝を設けて密閉度を更に上げて雨水の侵入も防止できる、あるいは双方に自動閉塞保持機構を備えた閉塞板体とすることで一層出し入れがし易くなるなど極めて実用性に優れた画期的な郵便受けを提供することを目的としている。
【課題を解決するための手段】
【０００６】
添付図面を参照して本考案の要旨を説明する。
【０００７】
郵便物を収納する収納本体１の前後の開口部２を閉塞板体３で閉塞し、少なくとも一方の閉塞板体３を開閉自在に設けた郵便受けにおいて、前記収納本体１を金属製とし、前記双方の閉塞板体３を合成樹脂製とし、前記一方の開口部２を閉塞する合成樹脂製の前記一方の閉塞板体３の端部を、前記収納本体１の開口部縁部に枢着して、開閉回動させることでこの開口部２が開閉自在となるように構成し、この閉塞板体３の枢着部に閉方向に付勢する閉じ付勢バネ４を設けて、この閉塞板体３により開口部２を閉塞保持すると共に、手でこの閉方向の付勢に抗して閉塞板体３を開放回動させて開口部２を開口しこの手を離すとこの付勢により閉塞板体３が自動戻り回動して再び開口部２を閉塞保持する自動閉塞保持機構Ａを備えた閉塞板体３に構成し、前記他方の開口部２を閉塞する合成樹脂製の前記他方の閉塞板体３は、この他方の開口部２に被嵌する形状で且つこの開口部２の縁部が係合して雨水の侵入を防止する雨水侵入防止用係合溝５を縁部に沿って内側に周設した形状としたことを特徴とする郵便受けに係るものである。
【０００８】
また、郵便物を収納する収納本体１の前後の開口部２を閉塞板体３で閉塞し、少なくとも一方の閉塞板体３を開閉自在に設けた郵便受けにおいて、前記収納本体１を金属製とし、前記双方の閉塞板体３を合成樹脂製とし、前記一方の開口部２を閉塞する合成樹脂製の前記一方の閉塞板体３の端部を、前記収納本体１の開口部縁部に枢着して、開閉回動させることでこの開口部２が開閉自在となるように構成し、この閉塞板体３の枢着部に閉方向に付勢する閉じ付勢バネ４を設けて、この閉塞板体３により開口部２を閉塞保持すると共に、手でこの閉方向の付勢に抗して閉塞板体３を開放回動させて開口部２を開口しこの手を離すとこの付勢により閉塞板体３が自動戻り回動して再び開口部２を閉塞保持する自動閉塞保持機構Ａを備えた閉塞板体３に構成し、前記他方の開口部２を閉塞する合成樹脂製の前記他方の閉塞板体３も、前記一方の閉塞板体３と同じく端部を枢着しこの枢着部に前記閉じ付勢バネ４を設けて前記自動閉塞保持機構Ａを備えた閉塞板体３に構成したことを特徴とする郵便受けに係るものである。
【考案の効果】
【０００９】
本考案は上述のように構成したから、収納本体を安価にして耐久性に優れる金属製としながらも、前後の開口部を閉塞する閉塞板体は合成樹脂製とすることで密閉度を上げデザイン性も容易に向上でき、また騒音も生じにくく、更に少なくともこの一方の閉塞板体に閉じ付勢バネを設けた自動閉塞保持機構を備えた閉塞板体とすることで、出し入れが容易となり、また他方の開口部を閉塞する閉塞板体には雨水侵入防止用係合溝を設けて密閉度を更に上げて雨水の侵入も防止できる、あるいは双方に自動閉塞保持機構を備えた閉塞板体とすることで一層出し入れがし易くなるなど極めて実用性に優れた画期的な郵便受けとなる。
【図面の簡単な説明】
【００１０】
【図１】第一実施例の説明斜視図である。
【図２】第一実施例の片側を手で開口した状態の説明斜視図である。
【図３】第一実施例の下側から見た要部の説明斜視図である。
【図４】第一実施例の下側から見た要部の説明分解斜視図である。
【図５】第一実施例の閉塞時の要部の説明側断面図である。
【図６】第一実施例の開放時の要部の説明側断面図である。
【図７】第一実施例の反対側の閉塞板体を示す説明分解斜視図である。
【図８】第一実施例の反対側の閉塞板体の裏面図を含む説明分解斜視図である。
【図９】第一実施例の反対側の閉塞板体を示す要部の説明平断面図である。
【図１０】第二実施例の説明斜視図である。
【図１１】第二実施例の双方開放時の要部の説明側断面図である。
【考案を実施するための形態】
【００１１】
好適と考える本考案の実施形態を、図面に基づいて本考案の作用を示して簡単に説明する。
【００１２】
収納本体１は、従来通り金属製としたから、耐久性があり安価に製作できる。この収納本体１の前後の開口部２を閉塞する閉塞板体３は、合成樹脂製としたから、この成形容易な形状で小型な閉塞板体３を安価に量産でき、形状・色彩・模様などが施し易くデザイン性に優れ、また収納本体１が金属製であっても接触時や衝撃時の騒音を消音できることになる。
【００１３】
また少なくとも一方の開口部２を閉塞する閉塞板体３を自動閉塞保持機構Ａを備えた閉塞板体３に構成することで、常に閉塞板体３が閉じ付勢バネ４により閉方向に付勢されていることで開口部２を閉塞保持でき、またこの閉方向の付勢に抗して閉塞板体３を手で開放回動して郵便物を出し入れし、この手を放すと自動的に戻り動して開口部２を閉塞保持することから、使い易く、出し入れも容易となり、またこの付勢による閉塞保持によって密閉度も向上し、また閉塞時の衝撃音も消音され（小さくなり）実用性に優れる。
【００１４】
反対側の開口部２も同様にこの自動閉塞保持機構Ａを備えた閉塞板体３で閉塞することで、どちらからでも開口部２を手で開放回動して開口部２を開口し郵便物を出し入れでき、また前述のようにデザイン性を高めることも容易で密閉度も向上し、閉塞時の音も小さくでき、一層実用性に優れる。
【００１５】
また、この反対側の開口部２に対して閉塞板体３は開閉回動自在とせず、合成樹脂製の閉塞板体３で被嵌閉塞する構成としても良く、この場合はこの閉塞板体３を樹脂成形するに際して開口部２の縁部が係合する雨水侵入防止用係止溝５をこの閉塞板体３の内側周縁部に一体凹設形成することで、密閉度が一層向上し、雨水の侵入も一層防止できることとなる。
【００１６】
例えば、開口部２の底辺部の縁部以外の開口縁部が係合する雨水侵入防止用係合溝５を閉塞板体３の内側の周辺部に周設し、この閉塞板体３を開口部２に被嵌させると共に、この雨水侵入防止用係合溝５に閉塞板体３の縁部を差し込み係合することで、一層確実に雨水の侵入を防止できることとなる。
【実施例１】
【００１７】
本考案の具体的な実施例１について図面に基づいて説明する。
【００１８】
郵便物を収納する筒状の収納本体１を金属製とし、この収納本体１の前後の開口部２を閉塞する双方の閉塞板体３を合成樹脂製とし、前記一方の開口部２を閉塞する合成樹脂製の前記一方の閉塞板体３の下端部を、前記収納本体１の開口部２の縁部下側に枢着して、開閉回動させることでこの開口部２が起伏回動して開閉自在となるように構成している。
【００１９】
具体的には、支柱８の上端の取付受板９に重合止めする金属製の底板10の左右の縁部を下方に折曲形成した垂下縁部11に重合止めして逆Ｕ字状に湾曲した金属製の湾曲板12を前記底板10上に設けて前後が開口した金属製の収納本体１を構成している。
【００２０】
この前後の開口部２の形状に合致する形状であって、その縁部を覆うように被嵌する閉塞板体３を合成樹脂で成形している。即ち、この閉塞板体３の縁部は、開口部２の周辺の収納本体１の外周面部外側に位置する被嵌縁部６を設けた形状に形成している。
【００２１】
また、本実施例のこの閉塞板体３の被嵌縁部６は、開口部２の底辺部、即ち収納本体１の底板10の下側に位置させる部分は有さず、この底辺部を除いた胴周部の開口部２の周縁部をすべて覆い、且つ底辺部はその前後の垂下縁部11と重合する形状としている。
【００２２】
この閉塞板体３の被嵌縁部６と、収納本体１の底板10の左右の垂下縁部11との重合部分間に軸７を架設して閉塞板体３の下端部を収納本体１の底部に軸着し、この閉塞板体３の枢着部となる軸７に閉方向に付勢する閉じ付勢バネ４（コイルバネ）を巻回して設け、この閉じ付勢バネ４の付勢によって閉塞板体３により開口部２を閉塞保持すると共に、例えば圧入止めや係止や係合ロックさせる場合にはこれを外し手で摘子部13を持ってこの閉方向の付勢に抗して閉塞板体３を開放回動させて開口部２を開口し、この手を離すとこの付勢により閉塞板体３が自動戻り回動して再び開口部２を閉塞保持する自動閉塞保持機構Ａを備えた閉塞板体３に構成している。
【００２３】
前記他方の開口部２を閉塞する合成樹脂製の前記他方の閉塞板体３は、この他方の開口部２に前記一方の閉塞板体３と同様に被嵌縁部６を形成してこの開口部２に被嵌する形状で、且つこの開口部２の縁部が閉塞板体３の内側（裏面）に設けた雨水侵入防止用係合溝５に係合して雨水の侵入を防止する形状としている。
【００２４】
具体的には、前記閉塞板体３の縁部には開口部２の底辺部を除いた胴周部の縁部を覆うようにこの収納本体１の湾曲板12の外側に重合すると共に、底辺部は収納本体１の底板10の垂下縁部11と重合する被嵌縁部６を設けた形状とし、この閉塞板体３の裏面に前記底辺部以外の逆Ｕ字状の胴周部に沿うように逆Ｕ字状の雨水侵入防止用係合溝５を形成している。
【００２５】
更に説明すれば、本実施例では、前記被嵌縁部６の折曲縁部と間隙を介してこれに沿った内側に、逆Ｕ字状にリブを被嵌縁部６と平行にして閉塞板体３の裏面に突出形成することで、このリブと被嵌縁部６との間隙を雨水侵入防止用係合溝５として形成した構成としている。
【実施例２】
【００２６】
図１０，図１１に示す第二実施例は、前記一方の開口部２を自動閉塞保持機構Ａを備えた閉塞板体３で閉塞し、前記他方の開口部２を閉塞する閉塞板体３も、前記一方の閉塞板体３と同じく、端部を枢着しこの枢着部に前記閉じ付勢バネ４を設けて構成した前記自動閉塞保持機構Ａを備えた閉塞板体３で構成している。
【００２７】
尚、本考案は、実施例１，２に限られるものではなく、各構成要件の具体的構成は適宜設計し得るものである。
【符号の説明】
【００２８】
Ａ  自動閉塞保持機構
１  収納本体
２  開口部
３  閉塞板体
４  閉じ付勢バネ
５  自動閉塞保持機構
【図１】
0003169456.tif 000003
【図２】
0003169456.tif 000004
【図３】
0003169456.tif 000005
【図４】
0003169456.tif 000006
【図５】
0003169456.tif 000007
【図６】
0003169456.tif 000008
【図７】
0003169456.tif 000009
【図８】
0003169456.tif 000010
【図９】
0003169456.tif 000011
【図１０】
0003169456.tif 000012
【図１１】
0003169456.tif 000013